(57)【要約】【課題】  一定の間隔で動画像を撮影し、ＢＧＭとなる音楽と共に再生する時、一定の間隔で撮影された映像の再生時間と音楽の再生時間を一致させて再生することが出来ず、映像を鑑賞する人物が違和感を覚えてしまう。【解決手段】  スナップ動画の撮影時間を設定する撮影時間設定手段と、スナップ動画と共に再生する音楽データの再生時間を取得する音楽データ再生時間取得手段と、取得された音楽データの再生時間と設定された撮影時間とから、音楽再生に必要なスナップ動画数と残りの時間を算出する算出手段とを有し、音楽データの再生時間に一致するように残りの時間をスナップ動画の撮影時間に変更する。【選択図】  図１
2010245735.tif 000002
【特許請求の範囲】
【請求項１】
記録開始の指示から動画像を一定時間記録し、一定時間経過後は自動的に記録を終了するスナップ動画が撮影可能な画像記録再生装置であって、
前記スナップ動画の撮影時間を設定する撮影時間設定手段と、
前記スナップ動画と共に再生する音楽データの再生時間を取得する音楽データ再生時間取得手段と、
前記取得された音楽データの再生時間と前記設定された撮影時間とから、音楽再生に必要なスナップ動画数と余り時間を算出する算出手段とを有し、
前記算出されたスナップ動画数に達したら、前記余り時間を前記スナップ動画の撮影時間に変更することを特徴とする画像記録再生装置。
【請求項２】
前記動画像に対して映像エフェクト処理を行う映像効果手段をさらに有し、
前記余り時間の動画像の記録時に、前記映像効果手段によって映像エフェクト処理を行うことを特徴とする請求項１に記載の画像記録再生装置。
【請求項３】
前記動画像に対して文字列を挿入する字幕挿入手段をさらに有し、
前記余り時間の動画像の記録時に、前記字幕挿入手段によって文字列を挿入することを特徴とする請求項１に記載の画像記録再生装置。
【請求項４】
前記余り時間が映像エフェクト処理や字幕挿入を行うための時間に満たない場合、前記算出手段はスナップ動画数を減らすことで前記余り時間を変更することを特徴とする請求項２または３に記載の画像記録再生装置。
【請求項５】
記録開始の指示から動画像を一定時間記録し、一定時間経過後は自動的に記録を終了するスナップ動画が撮影可能な画像記録再生装置であって、
前記スナップ動画の撮影時間を設定する撮影時間設定手段と、
前記スナップ動画と共に再生する音楽データの再生時間を取得する音楽データ再生時間取得手段と、
前記動画像に対して映像エフェクト処理を行う映像効果手段と、
前記取得された音楽データの再生時間と前記設定された撮影時間とから、音楽再生に必要なスナップ動画数と余り時間を算出する算出手段とを有し、
前記余り時間が映像エフェクト処理を行うための時間に満たない場合、前記算出手段はスナップ動画数を減らすことで前記余り時間を変更することを特徴とする画像記録再生装置。
【請求項６】
前記余り時間は動画像の記録の開始時または終了時から割り当てられることを特徴とする請求項５に記載の画像記録再生装置。
【発明の詳細な説明】
【技術分野】
【０００１】
本発明は音楽を再生する機能を有した画像記録再生装置に関するものである。
【背景技術】
【０００２】
従来、特許文献１のように、撮影時に音楽情報を表示装置に表示した状態であっても撮影することが可能であり、音楽の再生時間などの音楽データの情報を見ながら撮影を行なうことができる音楽再生機能付きカメラがあった。更に特許文献２のように、撮影した複数の単位画像を再生するのに要する画像再生時間と、複数の単位画像とともに再生する音楽の再生時間とを一致させて音楽付画像を再生する音楽再生機能付デジタルカメラがあった。これによりユーザは、画像と音楽の再生時間が違和感なく一致し、画像切り替え等のタイミングも音楽にマッチした音楽付画像を手軽に作成し、楽しむことができる。
【０００３】
また他の従来例として、特許文献３のように、１カット撮影時間が経過したら自動的に録画停止するビデオカメラ装置があった。このように、記録開始の指示から撮像画像を所定の時間記録し、所定時間経過後は自動的に記録を終了する（いわゆるスナップ動画撮影モード）、またその画像を連続して再生するといった提案がある。その目的は多様であるが、１撮影画像の記録時間をできるだけそろえることにより、後の編集作業を行うことなくとも視聴者に違和感を与えず、テンポよく楽しく視聴できる再生画像を得ることができる。
【先行技術文献】
【特許文献】
【０００４】
【特許文献１】特開２００４−２０８０１３号公報
【特許文献２】特開２００１−３３９６８２号公報
【特許文献３】特開平６−１５３０２８号公報
【発明の概要】
【発明が解決しようとする課題】
【０００５】
しかしながら、上記のような動画像再生時に音楽を再生する機能を有したカメラにおいて、所定の時間で撮影された動画像（以下、スナップ動画）を複数繋ぎ合わせて順次再生される動画像の再生時間と、音楽の再生時間との間には時間的なズレが生じてしまうことがある。このような不自然な映像は鑑賞しているユーザに違和感を与え、音楽つきの動画像として、効果的な再生を行なうことが出来ない。例えば、動画像の方が長い場合は、音楽再生が先に終わり、その後は動画像のみが再生されて不自然である。一方、音楽再生時間の方が長い場合は、動画像が先に終わり、その後は音楽のみが再生され不自然となる問題があった。
【０００６】
また、このように再生時に音楽の長さに合わせて動画像の再生時間を変更することはできるが、撮影時に音楽の長さに合わせて動画像の撮影時間を変更することはできなかった。
【課題を解決するための手段】
【０００７】
本発明の画像記録再生装置は、記録開始の指示から動画像を所定の時間記録し、所定時間経過後は自動的に記録を終了するスナップ動画が撮影可能であって、前記スナップ動画の撮影時間を設定する撮影時間設定手段と、前記スナップ動画と共に再生する音楽データの再生時間を取得する音楽データ再生時間取得手段と、前記取得された音楽データの再生時間と前記設定された撮影時間とから、音楽再生に必要なスナップ動画数と余り時間を算出する算出手段とを有し、前記算出されたスナップ動画数に達したら、前記余り時間を前記スナップ動画の撮影時間に変更することを特徴としている。
【０００８】
また、本発明の別の画像記録再生装置は、記録開始の指示から動画像を所定の時間記録し、所定時間経過後は自動的に記録を終了するスナップ動画が撮影可能であって、前記スナップ動画の撮影時間を設定する撮影時間設定手段と、前記スナップ動画と共に再生する音楽データの再生時間を取得する音楽データ再生時間取得手段と、前記動画像に対して映像エフェクト処理を行う映像効果手段と、前記取得された音楽データの再生時間と前記設定された撮影時間とから、音楽再生に必要なスナップ動画数と余り時間を算出する算出手段とを有し、前記余り時間が映像エフェクト処理を行うための時間に満たない場合、前記算出手段はスナップ動画数を減らすことで前記余り時間を変更することを特徴としている。
【発明の効果】
【０００９】
以上説明したように、本発明によれば、所定の時間で撮影された動画像の再生時間と音楽再生の時間とを、撮影時に一致させることで、音楽再生時間と動画像の再生時間が異なった場合に起こるズレを解消することが出来、簡単に効果的なミュージックビデオを作成することが可能になった。
【図面の簡単な説明】
【００１０】
【図１】本発明の第１の実施形態による、デジタルビデオカメラの構成を示すブロック図である。
【図２】本発明の第１の実施形態による、動画像撮影時の処理動作を示したフローチャートである。
【図３】本発明の第１の実施形態による、音楽再生時間とスナップ動画の撮影時間との関係を示した図である。
【図４】スナップ動画の撮影時間設定の画面表示を模式的に示した図である。
【図５】音楽設定の画面表示を模式的示した図である。
【図６】スナップ動画撮影時の画面を模式的に示した図である。
【図７】本発明の第２の実施形態による、デジタルビデオカメラの構成を示すブロック図である。
【図８】本発明の第２の実施形態による、動画像撮影時の処理動作を示したフローチャートである。
【図９】本発明の第２の実施形態による、音楽再生時間とスナップ動画の撮影時間及び映像効果の関係を示した図である。
【図１０】映像効果設定の画面表示を模式的に示した図である。
【図１１】映像効果設定で字幕スーパーで追加する文字列の入力画面を模式的に示した図である。
【図１２】撮影を中止するか否かをユーザに選択させる画面を模式的に示した図である。
【発明を実施するための形態】
【００１１】
以下、本発明を実施するための形態に関して説明する。
【００１２】
＜第１の実施形態＞
図１は本発明の第１の実施形態のスナップ動画が撮影可能な画像記録再生装置、ここではデジタルビデオカメラの構成を示すブロック図である。
【００１３】
図１において、ＣＰＵ１０１はシステム制御部であり、装置全体を制御するものである。
【００１４】
ＲＡＭ１０２はＳＲＡＭ、ＤＲＡＭ等で構成され、プログラム制御変数等を格納するためのものである。ＲＡＭ１０２はまた、各種設定パラメータ、各種ワーク用バッファ等もＲＡＭ１０２に格納されるものである。
【００１５】
ＲＯＭ１０３はＣＰＵ１０１の制御プログラムや各種固定データを格納するものである。
【００１６】
操作部材１０４はハードキーやポインティングデバイスなどで構成され、ユーザが記録開始の指示など各種入力操作を行うためのものである。
【００１７】
メディア制御部１０５は着脱可能な記録メディア１０６を制御し、記録メディアのデータの読み書きを行うものである。
【００１８】
記録メディア１０６はハードディスクやメモリーカードなどの記録メディアであり、メディア制御部１０５の制御によりデータの読み書きを行うのものである。
【００１９】
カメラ部１０７は撮影および結像に必要なＣＣＤやＣＭＯＳなどのセンサーやカメラレンズ、音声の録音に必要なマイク等の部材によって構成され、これらの部材によってカメラ部１０７では動画像の撮影を行なうのものである。
【００２０】
音楽情報解析部１０８では上記記録メディア１０６に記録された音楽データファイルから音楽の再生や音楽の再生時間情報を取得するものである（音楽データ再生時間取得手段）。
【００２１】
映像情報変換部１０９はカメラ部１０７で撮影された映像情報をＭＰＥＧ２などのデータ形式への変換や、記録メディアにＭＰＥＧ２形式などで記録された動画像ファイルから表示可能な映像情報への変換を行なうものである。
【００２２】
出力装置１１０は液晶パネルやスピーカー、外部モニターを接続するためのＨＤＭＩなどのインターフェースで構成され、カメラ部１０７で撮影されている動画像や音声、記録メディア１０６に記録された動画像ファイルや音楽データを出力するものである。
【００２３】
図２は本実施形態における動画像撮影時の処理動作を示したフローチャートである。
図３は本実施形態における音楽再生時間とスナップ動画の撮影時間との関係を示した図である。
図４はスナップ動画の撮影時間設定の画面表示を模式的に示した図である。
図５は本実施形態における音楽設定の画面表示を模式的示した図である。
図６は本実施形態におけるスナップ動画撮影時の画面を模式的に示した図である。
【００２４】
本実施形態のデジタルビデオカメラでは、ユーザが音楽データの入った記録メディア１０６を用意し、操作部材１０４を操作して音楽データと撮影する各スナップ動画の撮影時間を設定し、設定した音楽データの再生時間の長さの動画像を撮影する。スナップ動画は前述の通り、記録開始の指示から動画像を一定時間記録し、一定時間経過後は自動的に記録を終了する撮影モードのことである。
【００２５】
はじめに、Ｓ２０１で各スナップ動画の撮影時間を決定する。操作部材１０４を操作し、出力装置１１０に表示された図４に示した画面でスナップ動画の撮影時間の設定を行ない、設定した値をＲＡＭ１０２上に記録する。
【００２６】
Ｓ２０２ではＢＧＭとしてスナップ動画と共に再生する音楽を図５に示した画面で設定する。ＣＰＵ１０１は記録メディア１０６に記録された音楽データをメディア制御部１０５を介して取得し、図５の画面を出力装置１１０に表示し、ユーザは操作部材１０４を用いてデジタルビデオカメラを操作して音楽の設定を行ない、設定した音楽をＲＡＭ１０２上に記録する。
【００２７】
Ｓ２０３ではＳ２０２で設定した音楽データを音楽情報解析部１０８へ送り、音楽データの再生時間を取得し、ＲＡＭ１０２へ記録する。
【００２８】
Ｓ２０４ではＳ２０３でＲＡＭ１０２上に記録した音楽データの再生時間をＳ２０１で設定した各スナップ動画の撮影時間で割り、その商を算出して必要なスナップ動画数としてＲＡＭ１０２上に記録し、余りもＲＡＭ１０２上に記録する。
【００２９】
Ｓ２０５では撮影したスナップ動画数がＳ２０４で取得した必要な数に達したか否かを判断する。
【００３０】
Ｓ２０５でＳ２０１で決定した撮影時間での撮影が必要なスナップ動画数に達していないと判断された場合、Ｓ２０６ではスナップ画像の撮影を行なう。Ｓ２０１で設定した撮影時間をＲＡＭ１０２から読み込み、ユーザが操作部材１０４を操作して動画像の記録を開始すると出力装置１１０には図６に示した画面が表示される。図６では、残り何シーンのスナップ動画撮影が必要であるかや現在撮影中のスナップ動画が全体のどの位置のものであるかなどをユーザに表示し、読み込んだ撮影時間で撮影を停止する。
【００３１】
Ｓ２０７ではＳ２０６で撮影したスナップ動画数をカウントし、ＲＡＭ１０２上に記録する。
【００３２】
Ｓ２０８ではＳ２０５で撮影したスナップ動画数がＳ２０４で取得した必要な数に達していた場合、スナップ動画の撮影時間を余り時間に変更する。余り時間とは、元々設定したスナップ動画の撮影時間に満たなかった時間を指す。図３に示すように、設定した撮影時間のスナップ動画を記録メディア１０６へ記録していき、次に撮影するスナップ動画が余りの部分に該当する画像である時、余り時間を撮影時間としてスナップ動画を記録メディア１０６に記録する。Ｓ２０９でユーザが操作部材２０９を用いて撮影を行なった際には、ＣＰＵ１０１はカメラ部１０７から送られた映像信号を映像情報変換部１０９へと送り、ＭＰＥＧ２などの形式へと変換した後、記録メディア１０６へと記録し、余りの時間で撮影を停止する。
【００３３】
以上の処理により、図３のように音楽再生時間に対して、動画像の撮影時間を一致させることができ、動画像と音楽を同時に再生した際に動画像または音楽のどちらがが先に再生を終了してしまい、ユーザに違和感を与えることのない動画像を作成することができる。
【００３４】
＜第２の実施形態＞
図７は本発明の第２の実施形態のデジタルビデオカメラのブロック図を示す。
【００３５】
図７において、ＣＰＵ７０１はシステム制御部であり、装置全体を制御するものである。
【００３６】
ＲＡＭ７０２はＳＲＡＭ，ＤＲＡＭ等で構成され、プログラム変数等を格納するためのものである。ＲＡＭ７０２はまた、各種設定パラメータ、各種ワーク用バッファなどもＲＡＭ７０２上に格納されるものである。
【００３７】
ＲＯＭ７０３はＣＰＵ７０１の制御プログラムや各種固定データを格納するものである。
【００３８】
操作部材７０４はハードキーやポインティングデバイスなどで構成され、ユーザが記録開始の指示など各種入力操作を行なうためのものである。
【００３９】
メディア制御部７０５は着脱可能な記録メディア７０６を制御し、記録メディアのデータの読み書きを行なうものである。
【００４０】
記録メディア７０６はハードディスクやメモリーカードなどの記録メディアであり、メディア制御部７０５の制御によりデータの読み書きを行なうためのものである。
【００４１】
カメラ部７０７は撮影及び結像に必要なＣＣＤやＣＭＯＳなどのセンサーやカメラレンズ、音声の録音に必要なマイク等の部材によって構成され、これらの部材によってカメラ部７０７では動画像の撮影を行なうものである。
【００４２】
映像効果部７０８はカメラ部７０７で撮影された映像にフェードやワイプなどの映像エフェクト処理や、タイトルまたはエンド画面の字幕および背景といった映像効果を付け加えるものである。
【００４３】
音楽情報解析部７０９では上記記録メディア７０６に記録された音楽データファイルから音楽の再生時間情報を取得するものである。
【００４４】
映像情報変換部７１０は映像効果部７０８によって映像効果が与えられた映像情報をＭＰＥＧ２などのデータ形式への変換や、記録メディアにＭＰＥＧ２形式などで記録された動画像ファイルから表示可能な映像情報への変換を行なうものである。
【００４５】
出力装置７１１は液晶パネルやスピーカー、外部モニターを接続するためのＨＤＭＩなどのインターフェースで構成され、映像効果部７０８で映像効果を与えられた動画像や、記録メディア７０６に記録された動画像ファイルや音楽データを出力するものである。
【００４６】
図８は本実施形態における動画像撮影時の処理動作を示したフローチャートである。
【００４７】
図９は本実施形態における音楽再生時間とスナップ動画の撮影時間及び映像効果の関係を示した図である。
【００４８】
図１０は本実施形態における映像効果設定の画面表示を模式的に示した図である。
【００４９】
図１１は本実施形態における映像効果設定で字幕スーパーで追加する文字列の入力画面を模式的に示した図である。
【００５０】
図１２は本実施形態において、撮影を中止するか否かをユーザに選択させる画面を模式的に示した図である。
【００５１】
また、本実施形態においても撮影時間設定の画面及び音楽設定の画面は第１の実施形態と同じ図４及び図５と同一の画面表示を行なう。
【００５２】
本実施形態のデジタルビデオカメラでは、ユーザが音楽データの入った記録メディア７０６を用意し、操作部材７０４を操作して音楽データと撮影する各スナップ動画の撮影時間を設定し、設定した音楽データの再生時間の長さの動画像を撮影する。
【００５３】
はじめに、Ｓ８０１で各スナップ動画の撮影時間を決定する。操作部材７０４を操作し、出力装置７１１に表示された図４に示した画面でスナップ動画の撮影時間の設定を行い、設定した値をＲＡＭ７０２上に記録する。
【００５４】
Ｓ８０２ではＢＧＭとしてスナップ動画と共に再生する音楽を図５に示した画面で設定する。ＣＰＵ７０１は記録メディア７０６に記録された音楽データをメディア制御部７０５を介して取得し、図５の画面を出力装置７１１に表示し、ユーザは操作部材７０４を用いてデジタルビデオカメラを操作して音楽の設定を行い、設定した音楽をＲＡＭ７０２上に記録する。
【００５５】
Ｓ８０３ではＳ８０２で設定した音楽データを音楽情報解析部７０９へ送り、音楽データの再生時間を取得し、ＲＡＭ７０２上に記録する。
【００５６】
Ｓ８０４では動画像の記録の開始時または終了時に付け加える映像エフェクトまたはタイトルやエンド画面といった映像効果の設定を図１０に示した画面で行なう。ユーザは操作部材７０４を用いてデジタルビデオカメラを操作して映像効果の設定を行う。図１０の画面でタイトル・エンド画面を選択した場合は、さらに図１１の画面へ遷移し、タイトル・エンド画面で字幕挿入される文字列を入力する。こうして設定した映像効果情報をＲＡＭ７０２上に記録する。
【００５７】
Ｓ８０５ではＳ８０３でＲＡＭ７０２上に記録した音楽データの再生時間をＳ８０１で設定した各スナップ動画の撮影時間で割り必要なスナップ動画数を算出する。このとき、余り時間が短く、フェードインなどの映像効果を効果的に表示することが出来ない程度に短い場合がある。Ｓ８０１で設定した撮影時間での撮影が必要なスナップ動画数から映像効果を効果的に表示することができる時間になるまで減らし、映像エフェクトやタイトル・エンド画面といった映像効果を効果的に表示することができる時間になるように設定する。例えば、フェードインやフェードアウトの映像エフェクトに４秒の時間を要し、余り時間が３秒であり、各画像の撮影時間が５秒であったとする。このとき、開始時の動画像ではフェードイン、終了時の動画像ではフェードアウトの映像効果を加えるようにＳ８０４で設定されている場合は、設定された時間で撮影するスナップ動画数を１減らし、余りと加算して開始時と終了時の動画像に４秒ずつ割り当てることで、映像効果が途中で切れることなく効果的に表示することができる。
【００５８】
Ｓ８０６では操作部材７０４を操作することで、図１２に示した画面を表示させてユーザに撮影を中断するか否かを確認する画面を表示する。
【００５９】
Ｓ８０６で撮影の終了を選択しなかった場合はＳ８０７の処理を行なう。Ｓ８０７では撮影するスナップ動画に映像効果が割り当てられているか否かを判断する。
【００６０】
Ｓ８０８ではＳ８０７で映像効果が割り当てられていると判断され場合に、ＲＡＭ７０２上に記録された撮影時間を設定されている値から変更する。
【００６１】
Ｓ８０９ではＳ８０４で設定した映像エフェクトまたはタイトル・エンド画面といった映像効果を動画像の記録時に付け加えるように設定を変更し、ＲＡＭ７０２上に記録する。
【００６２】
図９に示すように、設定した撮影時間のスナップ動画を記録メディア６０６に記録していく際に、開始時の動画像を撮影する際と終了時の動画像の撮影の際に映像効果を付け加えて、設定された撮影時間と異なる長さの画像を撮影する。
【００６３】
Ｓ８１０ではスナップ動画の撮影を行なう。ユーザが操作部材７０４を操作してスナップ動画の撮影を開始すると、ＣＰＵ７０１はＳ８０１またはＳ８０８で設定された撮影時間をＲＡＭ７０２から読み込み、ユーザが操作部材７０４を操作してスナップ動画の撮影を開始する。Ｓ８０９で映像エフェクトまたはタイトル・エンド画面といった映像効果を設定した場合、カメラ部７０７から送られる映像信号に対して映像効果部７０８はＳ８０９で設定した映像効果を付け加えた信号をＣＰＵ７０１に送る。そして送られた信号を映像情報変換部７１０によって映像信号をＭＰＥＧ２などの形式へと変換した後、記録メディア７０６へと記録し、ＣＰＵ７０１はＲＡＭ７０２から読み込んだ撮影時間で撮影を停止する。
【００６４】
以上の処理により、図９のように音楽再生時間に対して、動画像の撮影時間を一致させることができ、動画と音楽を同時に再生した際に動画像または音楽のどちらかが先に再生を終了してしまい、ユーザに違和感を与えることがなくなる。また、フェードなどの映像エフェクトやタイトル、エンド画面を開始時または終了時の動画像に加えることで、映像全体の画像の切り替わりのリズム感を壊さずに、自然に音楽再生時間に合わせることができる。
【００６５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６６】
１０１、７０１  ＣＰＵ
１０２、７０２  ＲＡＭ
１０３、７０３  ＲＯＭ
１０４、７０４  操作部材
１０５、７０５  メディア制御部
１０６、７０６  記録メディア
１０７、７０７  カメラ部
１０８、７０９  音楽情報解析部
１０９、７１０  映像情報変換部
１１０、７１１  出力装置
７０８  映像効果部
【図１】
2010245735.tif 000003
【図２】
2010245735.tif 000004
【図３】
2010245735.tif 000005
【図４】
2010245735.tif 000006
【図５】
2010245735.tif 000007
【図６】
2010245735.tif 000008
【図７】
2010245735.tif 000009
【図８】
2010245735.tif 000010
【図９】
2010245735.tif 000011
【図１０】
2010245735.tif 000012
【図１１】
2010245735.tif 000013
【図１２】
2010245735.tif 000014